(57)【要約】      （修正有）【課題】停電時に照明を点灯させることができるとともに、製品の大型化やコストアップを抑制できる洗面化粧台を提供する。【解決手段】洗面器１０２と、水栓装置１０と、支持台１０６と、ミラーキャビネット１０８と、第２照明部１１０と、を備える洗面化粧台１００であって、水を吐出する吐水部と、吐水部からの水を受けるボウル部１２２と、ボウル部に向けて光を照射する第１照明部と、電源から供給されるエネルギーを蓄える蓄電部と、停電を検知する停電検知部と、第１照明部の点灯及び消灯を制御する制御部と、を備え、制御部は、停電検知部が停電を検知すると、第１照明部を蓄電部に蓄えられたエネルギーによって点灯可能な状態にすることを特徴とする洗面化粧台。【選択図】図１
2020010811.tif 000002
【特許請求の範囲】
【請求項１】
洗面化粧台であって、
水を吐出する吐水部と、
前記吐水部からの水を受けるボウル部と、
前記ボウル部に向けて光を照射する第１照明部と、
電源から供給されるエネルギーを蓄える蓄電部と、
停電を検知する停電検知部と、
前記第１照明部の点灯及び消灯を制御する制御部と、
を備え、
前記制御部は、前記停電検知部が停電を検知すると、前記第１照明部を前記蓄電部に蓄えられたエネルギーによって点灯可能な状態にすることを特徴とする洗面化粧台。
【請求項２】
前記制御部は、前記停電検知部が停電を検知すると、前記第１照明部を前記蓄電部に蓄えられたエネルギーによって自動で点灯させることを特徴とする請求項１記載の洗面化粧台。
【請求項３】
前記第１照明部よりも上方に設けられ、室内を照らす第２照明部をさらに備え、
前記制御部は、前記第２照明部の点灯中に前記停電検知部が停電を検知すると、前記第２照明部を消灯させることを特徴とする請求項１または２に記載の洗面化粧台。
【請求項４】
前記第１照明部は、第１照度と、前記第１照度よりも低い第２照度と、で点灯可能であり、
前記制御部は、前記停電検知部が停電を検知すると、前記第１照明部を前記第２照度で点灯させることを特徴とする請求項１〜３のいずれか１つに記載の洗面化粧台。
【請求項５】
前記制御部は、第１エネルギーで駆動する第１状態と、前記第１エネルギーよりも低い第２エネルギーで駆動する第２状態と、を有し、前記停電検知部が停電を検知すると、前記第２状態になることを特徴とする請求項１〜４のいずれか１つに記載の洗面化粧台。
【請求項６】
上面に物品を載置可能な水栓装置をさらに備え、
前記吐水部及び前記第１照明部は、前記水栓装置に設けられていることを特徴とする請求項１〜５のいずれか１つに記載の洗面化粧台。
【発明の詳細な説明】
【技術分野】
【０００１】
本発明の態様は、一般的に、洗面化粧台に関する。
【背景技術】
【０００２】
洗面化粧台において、夜間など周囲が暗い環境において、吐水部近傍やボウル部が視認しやすいように、それらを照らす照明部（以下、手元照明という）を取り付けたものが知られている。また、洗面化粧台には、室内を照らす照明装置が設けられる場合がある。
【０００３】
このような洗面化粧台に備えられた照明設備は、通常、家庭内に電力を供給するスイッチであるブレーカからの電力供給によって、点灯する。したがって、夜など、周囲が暗い状態でブレーカが落ちてしまうと、照明設備への電力供給が停止してしまい、洗面所内の設備の配置が把握しづらくなるという問題がある。ブレーカは、洗面所に設置されているケースが多いため、ブレーカを復旧させるためには、懐中電灯など、電池等で動くタイプの照明を探す必要がある。
【先行技術文献】
【特許文献】
【０００４】
【特許文献１】特開２００３−１８４１３９号公報
【発明の概要】
【発明が解決しようとする課題】
【０００５】
上記の問題を解決する手段として、停電時に、ブレーカとは異なる電源からの電力供給により、洗面化粧台に設置された照明設備を点灯させることが考えられる。例えば、水栓装置は、一般的に、停電時に、電磁弁を確実に閉めたり、電源復帰後に動作を再開したりするために、コンデンサと呼ばれる蓄電部を備えている。そこで、蓄電部に蓄えられたエネルギーを用いて、照明設備を点灯させることが考えられる。
【０００６】
しかし、室内を照らすために設けられる照明装置は電力消費が大きく、すぐに蓄電部のエネルギーを使いきってしまうという問題がある。蓄電部を大型のものに変更すれば、照明装置の照射時間を長くすることができるが、製品の大型化やコストアップに繋がるという問題がある。
【０００７】
本発明は、かかる課題の認識に基づいてなされたものであり、停電時に照明を点灯させることができるとともに、製品の大型化やコストアップを抑制できる洗面化粧台を提供することを目的とする。
【課題を解決するための手段】
【０００８】
第１の発明は、洗面化粧台であって、水を吐出する吐水部と、前記吐水部からの水を受けるボウル部と、前記ボウル部に向けて光を照射する第１照明部と、電源から供給されるエネルギーを蓄える蓄電部と、停電を検知する停電検知部と、前記第１照明部の点灯及び消灯を制御する制御部と、を備え、前記制御部は、前記停電検知部が停電を検知すると、前記第１照明部を前記蓄電部に蓄えられたエネルギーによって点灯可能な状態にすることを特徴とする洗面化粧台である。
【０００９】
この洗面化粧台によれば、停電を検知した際に、第１照明部を蓄電部に蓄えられたエネルギーによって点灯可能な状態にすることで、停電時に手動または自動で照明を点灯させることができる。これにより、例えば、洗面所内に設置されたブレーカの位置を把握しやすくなり、電源供給の復帰が容易となる。また、この洗面化粧台によれば、第１照明部から照射された光がボウル部にあたって拡散するため、第１照明部の照度を低く抑えた場合であっても、何がどこにあるかを認識できる程度の明るさにすることできる。これにより、第１照明部の点灯による消費エネルギーをより小さくできるため、蓄電部を大型のものに変更しなくても、第１照明部をより長時間点灯させることができる。したがって、停電時に照明を点灯させることができるとともに、製品の大型化やコストアップを抑制することができる。
【００１０】
第２の発明は、第１の発明において、前記制御部は、前記停電検知部が停電を検知すると、前記第１照明部を前記蓄電部に蓄えられたエネルギーによって自動で点灯させることを特徴とする洗面化粧台である。
【００１１】
この洗面化粧台によれば、停電を検知した際に、第１照明部を自動で点灯させることで、洗面所内に設置されたブレーカの位置をさらに把握しやすくなり、電源供給の復帰がさらに容易となる。
【００１２】
第３の発明は、第１または第２の発明において、前記第１照明部よりも上方に設けられ、室内を照らす第２照明部をさらに備え、前記制御部は、前記第２照明部の点灯中に前記停電検知部が停電を検知すると、前記第２照明部を消灯させることを特徴とする洗面化粧台である。
【００１３】
この洗面化粧台によれば、停電を検知した際に、第２照明部を消灯させることで、蓄電部に蓄えられたエネルギーの多くを第１照明部に使用することができるため、第１照明部をより長時間点灯させることができる。
【００１４】
第４の発明は、第１〜第３のいずれか１つの発明において、前記第１照明部は、第１照度と、前記第１照度よりも低い第２照度と、で点灯可能であり、前記制御部は、前記停電検知部が停電を検知すると、前記第１照明部を前記第２照度で点灯させることを特徴とする洗面化粧台である。
【００１５】
この洗面化粧台によれば、停電を検知した際に、第１照明部を第１照度よりも低い第２照度で点灯させることで、第１照明部の点灯による消費エネルギーをより小さくできるため、第１照明部をより長時間点灯させることができる。
【００１６】
第５の発明は、第１〜第４のいずれか１つの発明において、前記制御部は、第１エネルギーで駆動する第１状態と、前記第１エネルギーよりも低い第２エネルギーで駆動する第２状態と、を有し、前記停電検知部が停電を検知すると、前記第２状態になることを特徴とする洗面化粧台である。
【００１７】
この洗面化粧台によれば、停電を検知した際に、制御部を第１エネルギーよりも低い第２エネルギーで駆動させることで、制御部の駆動による消費エネルギーをより小さくすることができるため、第１照明部をより長時間点灯させることができる。
【００１８】
第６の発明は、第１〜第５のいずれか１つの発明において、上面に物品を載置可能な水栓装置をさらに備え、前記吐水部及び前記第１照明部は、前記水栓装置に設けられていることを特徴とする洗面化粧台である。
【００１９】
この洗面化粧台によれば、停電を検知した際に、消費エネルギーがより小さい水栓装置の第１照明部（棚水栓の手元照明）を点灯させるため、第１照明部をより長時間点灯させることができる。
【発明の効果】
【００２０】
本発明の態様によれば、停電時に照明を点灯させることができるとともに、製品の大型化やコストアップを抑制できる洗面化粧台が提供される。
【図面の簡単な説明】
【００２１】
【図１】実施形態に係る洗面化粧台を模式的に表す斜視図である。
【図２】図２（ａ）及び図２（ｂ）は、実施形態に係る洗面化粧台の水栓装置を模式的に表す斜視図及び正面図である。
【図３】実施形態に係る洗面化粧台の一部を模式的に表す回路図である。
【図４】実施形態に係る洗面化粧台の動作の一例を表すフローチャートである。
【図５】実施形態に係る洗面化粧台の動作の別の一例を表すフローチャートである。
【図６】実施形態に係る洗面化粧台の動作のさらに別の一例を表すフローチャートである。
【図７】実施形態に係る洗面化粧台の動作のさらに別の一例を表すフローチャートである。
【図８】実施形態に係る洗面化粧台の動作の一例を表すタイミングチャートである。
【図９】実施形態に係る洗面化粧台の動作の別の一例を表すタイミングチャートである。
【発明を実施するための形態】
【００２２】
以下、本発明の実施形態について図面を参照しつつ説明する。なお、各図面中、同様の構成要素には同一の符号を付して詳細な説明は適宜省略する。  
図１は、実施形態に係る洗面化粧台を模式的に表す斜視図である。  
図１に表したように、洗面化粧台１００は、洗面器１０２と、水栓装置１０と、支持台１０６と、ミラーキャビネット１０８と、第２照明部１１０と、を備える。
【００２３】
なお、本願明細書では、洗面化粧台１００と向き合う使用者からみて手前側を「前方」とし、奥側を「後方」とし、上側を「上方」とし、下側を「下方」とし、右側を「右側方」とし、左側を「左側方」とする。
【００２４】
洗面器１０２は、ボウル部１２２と、バックガード部１２４と、を有する。ボウル部１２２は、下方に向かって凹んだ凹状に形成されている。ボウル部１２２は、吐水部２０からの水を受ける。ボウル部１２２は、排水口（不図示）を有する。排水口は、ボウル部１２２の底部に設けられる。排水口は、排水管に接続され、ボウル部１２２に吐出された水を排水管に流す。
【００２５】
バックガード部１２４は、ボウル部１２２の後端から上方に延びる。バックガード部１２４は、必要に応じて設けられ、省略可能である。洗面器１０２の形状は、少なくともボウル部１２２を有する任意の形状でよい。
【００２６】
洗面器１０２は、支持台１０６の上に設けられる。支持台１０６は、洗面器１０２を支持する。支持台１０６は、例えば、本体部１０６ａと、２つの引き出し１０６ｂ、１０６ｃと、を有する。各引き出し１０６ｂ、１０６ｃは、内部に物品を収納可能とする。
【００２７】
このように、支持台１０６は、物品を収納可能なキャビネットとしても機能する。支持台１０６は、換言すれば、下部キャビネット（フロアキャビネット）である。なお、引き出しの数は、２つに限ることなく、１つでもよいし、３つ以上でもよい。また、支持台１０６は、引き出し式のキャビネットに限ることなく、扉式のキャビネットでもよい。
【００２８】
支持台１０６は、必ずしも収納機能を有していなくてもよい。支持台１０６は、洗面器１０２を支持可能な任意の構成でよい。また、洗面器１０２は、例えば、洗面所などの壁面に直接取り付けてもよい。すなわち、支持台１０６は、必要に応じて設けられ、省略可能である。
【００２９】
水栓装置１０は、ボウル部１２２よりも上方に延びる壁面ＷＳに設けられる。水栓装置１０は、例えば、洗面器１０２のバックガード部１２４に取り付けられ、ボウル部１２２の上方に配置される。これにより、水栓装置１０は、洗面器１０２のボウル部１２２に向けて水を吐出する。本願明細書において、「前方」は、換言すれば、壁面ＷＳの向く方向である。また、本願明細書において、「水」には、冷水のみならず、加温されたお湯が含まれる。
【００３０】
水栓装置１０の取付位置は、上記に限ることなく、例えば、洗面器１０２の後部上方に設けられる取付パネル（バックパネル）などに取り付けてもよいし、洗面所などの壁面に直接取り付けてもよい。水栓装置１０の取付位置は、ボウル部１２２内に水を吐出可能な任意の位置でよい。水栓装置１０の取付位置は、ボウル部１２２よりも上方に延びる任意の壁面ＷＳでよい。水栓装置１０の取付位置は、洗面器１０２の形状などに応じて適宜設定すればよい。
【００３１】
ミラーキャビネット１０８は、ボウル部１２２を有する洗面器１０２よりも上方に設置される。ミラーキャビネット１０８は、キャビネット本体１３０と、３枚の扉１３１〜１３３と、を有する。キャビネット本体１３０は、前方を開口させた略直方体の開口箱状であり、内部に物品を収納可能とする。また、各扉１３１〜１３３の前面には、鏡１３１ａ〜１３３ａが設けられている。なお、ミラーキャビネット１０８に設けられる扉及び鏡の数は、３枚に限ることなく、１枚又は２枚でもよいし、４枚以上でもよい。
【００３２】
第２照明部１１０は、ミラーキャビネット１０８の上部に設けられている。第２照明部１１０は、例えば、ミラーキャビネット１０８において各扉１３１〜１３３よりも上方に設けられる。第２照明部１１０は、例えば、前方や上方に向かって光を照射し、室内を照らす。第２照明部１１０は、例えば、左右方向に並んだ複数のＬＥＤなどの光源を有する。第２照明部１１０は、例えば、水栓装置１０に設けられる照明部（後述する第１照明部４０）よりも上方に設けられる。
【００３３】
図２（ａ）図２（ｂ）は、実施形態に係る洗面化粧台の水栓装置を模式的に表す斜視図及び正面図である。  
図２（ａ）及び図２（ｂ）に表したように、水栓装置１０は、吐水部２０と、機能水吐出部２５と、本体部３０と、第１照明部４０（例えば、ボウル照明部４２、及び、機能水照明部４４の少なくともいずれか）と、操作部５０と、操作スイッチ５５ａ〜５５ｃと、センサ６０と、を備える。
【００３４】
吐水部２０は、ボウル部１２２へ水を吐出する。吐水部２０は、いわゆるスパウトである。吐水部２０には、水を吐出する吐水口２２が設けられている。操作部５０は、吐水部２０から吐出される水の流量を調整する。また、操作部５０は、吐水部２０から吐出される水の温度を調整する。
【００３５】
操作部５０は、操作レバー５０ａを有する。操作部５０は、使用者による操作レバー５０ａの操作に応じて、吐水部２０から吐出される水の流量及び温度を調整する。操作レバー５０ａは、例えば、前後方向及び左右方向に揺動可能に上端部を操作部５０の本体部分に軸支される。例えば、操作レバー５０ａを前後方向に揺動させることにより、吐水部２０から吐出される水の流量が調整され、操作レバー５０ａを左右方向に揺動させることにより、吐水部２０から吐出される水の温度が調整される。操作部５０における流量及び温度の調整の態様は、操作レバー５０ａに限ることなく、流量及び温度を調整可能な任意の態様でよい。
【００３６】
吐水部２０は、湯水混合部などを介して給水管及び給湯管などに接続される。吐水部２０から吐出される水は、例えば、上水（水道水）である。吐水部２０から吐出される水の温度調整は、操作部５０とは別の調整部で行ってもよい。操作部５０は、少なくとも吐水部２０から吐出される水の流量を調整できればよい。
【００３７】
機能水吐出部２５は、除菌作用を有する機能水をボウル部１２２に吐出する。機能水吐出部２５からボウル部１２２に機能水を吐出することにより、例えば、ボウル部１２２の排水口や排水口の内部における菌の繁殖を抑えることができる。これにより、例えば、排水口及び排水口の内部の除菌を行い、洗面器１０２を清潔に保つことができる。また、歯ブラシやコップなどに機能水を吐出することにより、これらの除菌を行うこともできる。機能水吐出部２５は、必要に応じて設けられ、省略可能である。
【００３８】
本体部３０は、壁面ＷＳから前方に突出するように設けられる。吐水部２０、機能水吐出部２５、及び操作部５０は、本体部３０の下部に設けられる。吐水部２０及び機能水吐出部２５は、本体部３０の下方に向けて水または機能水を吐出する。操作部５０の操作レバー５０ａは、本体部３０から下方に向かって延びる。本体部３０は、吐水部２０、機能水吐出部２５、及び操作部５０の上方を覆う。本体部３０の上面は、略水平に設けられており、物品を載置可能である。つまり、本体部３０は、物品を載置する棚として使用することができる。このように、水栓装置１０は、いわゆる棚水栓であってもよい。
【００３９】
吐水部２０、機能水吐出部２５、本体部３０、及び操作部５０は、例えば、それぞれ個別に壁面ＷＳ（バックガード部１２４の前面）に取り付けられる。これにより、例えば、メンテナンスの際などに、吐水部２０、機能水吐出部２５、及び操作部５０を壁面ＷＳに取り付けた状態のまま、本体部３０のみを壁面ＷＳから取り外すことができ、水栓装置１０のメンテナンス性を向上させることができる。但し、吐水部２０、機能水吐出部２５、及び操作部５０は、本体部３０に取り付け、本体部３０を介して壁面ＷＳに取り付けてもよい。
【００４０】
吐水部２０は、壁面ＷＳから引き出して使用することができる、いわゆるプルアウト機能を有していてもよい。換言すれば、吐水部２０は、本体部３０からプルアウト可能であってもよい。これにより、吐水部２０をハンドシャワーとして用いることができ、ボウル部１２２の清掃などを行うことができる。なお、この場合、吐水部２０は、壁面ＷＳに保持されていてもよいし、本体部３０に保持されていてもよい。
【００４１】
第１照明部４０は、ボウル部１２２に向けて光を照射する。第１照明部は、第２照明部１１０よりも下方に設けられる。この例では、第１照明部４０として、ボウル照明部４２及び機能水照明部４４が設けられている。実施形態においては、第１照明部４０として、例えば、ボウル照明部４２及び機能水照明部４４の少なくともいずれかが設けられる。
【００４２】
ボウル照明部４２は、例えば、水栓装置１０に設けられた手元照明である。ボウル照明部４２は、例えば、吐水部２０の近傍に設けられる。この例では、ボウル照明部４２は、本体部３０の下部に設けられており、下方に位置するボウル部１２２に向けて光を照射する。また、この例では、ボウル照明部４２は、吐水部２０の横に位置する。ボウル照明部４２は、例えば、ＬＥＤなどの光源を有する。ボウル照明部４２は、必要に応じて設けられ、省略可能である。
【００４３】
機能水照明部４４は、機能水吐出部２５から機能水を吐出する際に点灯する。機能水照明部４４は、本体部３０の下部に設けられており、下方に位置するボウル部１２２に向けて光を照射する。機能水照明部４４から照射された光の一部は、機能水吐出部２５から吐出されている最中の機能水に照射される。これにより、機能水照明部４４は、機能水の吐出が行われていることを使用者に報知するとともに、吐出されている機能水を見易くする。この例では、機能水照明部４４は、機能水吐出部２５の前方に位置する。機能水照明部４４は、例えば、ＬＥＤなどの光源を有する。機能水照明部４４は、必要に応じて設けられ、省略可能である。
【００４４】
操作スイッチ５５ａ〜５５ｃは、使用者による洗面化粧台１００の各部の操作を可能にする。例えば、操作スイッチ５５ａ〜５５ｃのいずれかを押すことで、吐水部２０からの吐水及び止水、吐水部２０から吐出される水の流量や温度の変更、機能水吐出部２５からの機能水の吐出、第１照明部４０の点灯及び消灯、及び第２照明部１１０の点灯及び消灯などを実行することができる。操作スイッチ５５ａ〜５５ｃは、例えば、本体部３０の前面に設けられる。
【００４５】
センサ６０は、吐水部２０の近くにある被検知物を検知する。センサ６０は、例えば、吐水部２０の近くにある使用者の手などを検知する。センサ６０は、例えば、投光部と受光部とを有する光電センサである。センサ６０は、例えば、吐水部２０の近傍に設けられる。この例では、センサ６０は、本体部３０の前方下部に設けられている。センサ６０は、例えば、吐水部２０の前方に位置する。
【００４６】
図３は、実施形態に係る洗面化粧台の一部を模式的に表す回路図である。  
図３に表したように、洗面化粧台１００は、制御部７０と、照明駆動回路部７５と、蓄電部８０と、第１電源部８２ａと、第２電源部８２ｂと、電源８５と、停電検知部９０と、をさらに備える。
【００４７】
制御部７０は、例えば、水栓装置１０に設けられる。制御部７０は、例えば、本体部３０の内部に設けられる。この例では、制御部７０は、第１照明部４０、操作スイッチ５５ａ〜５５ｃ、センサ６０、照明駆動回路部７５、第２電源部８２ｂ、及び停電検知部９０と接続されている。制御部７０は、照明駆動回路部７５を介して、第２照明部１１０と接続されている。
【００４８】
制御部７０は、第１照明部４０の点灯及び消灯を制御する。制御部７０は、例えば、照明駆動回路部７５を介して、第２照明部１１０の点灯及び消灯を制御する。より具体的には、制御部７０は、例えば、センサ６０からの検知信号や操作スイッチ５５ａ〜５５ｃからの入力信号に基づいて、第１照明部４０及び第２照明部１１０の点灯及び消灯を制御する。
【００４９】
制御部７０は、第１照明部４０及び第２照明部１１０以外を制御してもよい。制御部７０は、例えば、センサ６０からの検知信号に基づいて、給水源と吐水部２０との間に設けられる開閉弁の開閉を制御してもよい。これにより、制御部７０は、センサ６０からの検知信号に基づいて、吐水部２０の吐水及び止水を行う、いわゆる自動吐水を行うことができる。このように、水栓装置１０は自動吐水を行う水栓装置であってもよい。また、制御部７０は、センサ６０を制御してもよい。
【００５０】
また、制御部７０は、操作スイッチ５５ａ〜５５ｃからの入力信号に基づいて、給水源と吐水部２０との間に設けられる開閉弁の開閉（すなわち、吐水部２０からの吐水及び止水）や、吐水部２０から吐出される水の流量や温度、機能水吐出部２５からの機能水の吐出などを制御してもよい。
【００５１】
蓄電部８０は、電源８５から供給されるエネルギーを蓄える。蓄電部８０は、例えば、コンデンサである。この例では、蓄電部８０として、第１蓄電部８０ａ及び第２蓄電部８０ｂが設けられている。
【００５２】
第１蓄電部８０ａの下流には、第１電源部８２ａが設けられている。第２蓄電部８０ｂの下流には、第２電源部８２ｂが設けられている。第１電源部８２ａは、例えば、第１蓄電部８０ａを介して電源８５から供給される交流電力を、交流電力よりも低い所定の電圧以下の直流電力に変換し、照明駆動回路部７５を介して第２照明部１１０に供給する。第２電源部８２ｂは、例えば、第２蓄電部８０ｂを介して第１電源部８２ａから供給される直流電力を、それよりも低い所定の電圧以下の直流電力に変換し、制御部７０を介して第１照明部４０に供給する。
【００５３】
停電検知部９０は、停電を検知する。停電検知部９０は、例えば、電源８５及び制御部７０と接続されている。停電検知部９０は、例えば、フォトカプラを有しており、電源８５から電力が供給されている際には、制御部７０に信号を出力する。停電になると、停電検知部９０からの信号が停止することで、停電が検知される。この例では、停電検知部９０は、第１蓄電部８０ａと並列に設けられている。
【００５４】
制御部７０は、停電検知部９０が停電を検知すると、第１照明部４０を、蓄電部８０（第１蓄電部８０ａ及び第２蓄電部８０ｂの少なくともいずれか）に蓄えられたエネルギーによって点灯可能な状態にする。蓄電部８０に蓄えられたエネルギーによって点灯可能な状態になった第１照明部４０は、自動または手動で点灯される。蓄電部８０に蓄えられたエネルギーの一部は、例えば、制御部７０の駆動に使用される。蓄電部８０に蓄えられたエネルギーの別の一部は、例えば、第１照明部４０の点灯に使用される。
【００５５】
図４は、実施形態に係る洗面化粧台の動作の一例を表すフローチャートである。  
図４に表したように、停電検知部９０が停電を検知しない場合は（ステップＳ１０１：Ｎｏ）、停電検知部９０が停電を検知するまでステップＳ１０１を繰り返す。停電検知部９０が停電を検知すると（ステップＳ１０１：Ｙｅｓ）、制御部７０は、第１照明部４０を、蓄電部８０に蓄えられたエネルギーによって点灯させる（ステップＳ１０２）。
【００５６】
このように、実施形態によれば、停電を検知した際に、第１照明部４０を蓄電部８０に蓄えられたエネルギーによって点灯可能な状態にすることで、停電時に手動または自動で照明を点灯させることができる。これにより、例えば、洗面所内に設置されたブレーカの位置を把握しやすくなり、電源供給の復帰が容易となる。
【００５７】
また、実施形態によれば、第１照明部４０から照射された光がボウル部１２２にあたって拡散するため、第１照明部４０の照度を低く抑えた場合であっても、何がどこにあるかを認識できる程度の明るさにすることできる。これにより、第１照明部４０の点灯による消費エネルギーをより小さくできるため、蓄電部８０を大型のものに変更しなくても、第１照明部４０をより長時間点灯させることができる。したがって、停電時に照明を点灯させることができるとともに、製品の大型化やコストアップを抑制することができる。
【００５８】
また、実施形態によれば、停電を検知した際に、消費エネルギーが第２照明部１１０よりも小さい水栓装置１０の第１照明部４０（棚水栓の手元照明）を点灯させるため、第１照明部４０をより長時間点灯させることができる。
【００５９】
また、実施形態によれば、停電を検知した際に、第１照明部４０を自動で点灯させることで、洗面所内に設置されたブレーカの位置をさらに把握しやすくなり、電源供給の復帰がさらに容易となる。
【００６０】
なお、この例では、停電を検知した際に、第１照明部４０を自動で点灯させているが、停電を検知した際に、第１照明部４０を手動で点灯させてもよい。第１照明部４０を手動で点灯させる場合は、例えば、停電を検知した際に、操作スイッチ５５ａ〜５５ｃのいずれかが押されると、第１照明部４０を点灯させてもよい。また、停電を検知した際に、センサ６０が使用者を検知したら、第１照明部４０を点灯させてもよい。
【００６１】
図５は、実施形態に係る洗面化粧台の動作の別の一例を表すフローチャートである。  
図５に表したように、停電検知部９０が停電を検知しない場合は（ステップＳ２０１：Ｎｏ）、停電検知部９０が停電を検知するまでステップＳ２０１を繰り返す。停電検知部９０が停電を検知すると（ステップＳ２０１：Ｙｅｓ）、制御部７０は、例えば、第２照明部１１０が点灯中であるか否かを判定する（ステップＳ２０２）。第２照明部１１０が点灯中である場合（ステップＳ２０２：Ｙｅｓ）、制御部７０は、第２照明部１１０を消灯させる（ステップＳ２０３）。そして、制御部７０は、第１照明部４０を、蓄電部８０に蓄えられたエネルギーによって点灯させる（ステップＳ２０４）。第２照明部１１０が点灯中ではない場合（ステップＳ２０２：Ｎｏ）、制御部７０は、ステップＳ２０３を行わずに、ステップＳ２０４を行う。
【００６２】
なお、制御部７０は、ステップＳ２０２を行わずに、ステップＳ２０３を行ってもよい。換言すれば、制御部７０は、第２照明部１１０が点灯中であるか否かに関わらず、第２照明部１１０を消灯させる制御を行ってもよい。また、ステップＳ２０４は、ステップＳ２０２よりも前に行われてもよいし、ステップＳ２０２と同時に行われてもよい。また、第２照明部１１０が点灯中である場合（ステップＳ２０２：Ｙｅｓ）、ステップＳ２０４は、ステップＳ２０３よりも前に行われてもよいし、ステップＳ２０３と同時に行われてもよい。
【００６３】
このように、実施形態によれば、停電を検知した際に、第２照明部１１０を消灯させることで、蓄電部８０に蓄えられたエネルギーの多くを第１照明部４０に使用することができる。これにより、第１照明部４０をより長時間点灯させることができる。
【００６４】
図６は、実施形態に係る洗面化粧台の動作のさらに別の一例を表すフローチャートである。  
図６に表したように、停電検知部９０が停電を検知しない場合は（ステップＳ３０１：Ｎｏ）、停電検知部９０が停電を検知するまでステップＳ３０１を繰り返す。停電検知部９０が停電を検知すると（ステップＳ３０１：Ｙｅｓ）、制御部７０は、例えば、第２照明部１１０が点灯中であるか否かを判定する（ステップＳ３０２）。第２照明部１１０が点灯中である場合（ステップＳ３０２：Ｙｅｓ）、制御部７０は、第２照明部１１０を消灯させる（ステップＳ３０３）。そして、制御部７０は、第１照明部４０の照度を、第１照度から、第１照度よりも低い第２照度に変更して（ステップＳ３０４）、第１照明部４０を、蓄電部８０に蓄えられたエネルギーによって点灯させる（ステップＳ３０５）。第２照明部１１０が点灯中ではない場合（ステップＳ３０２：Ｎｏ）、制御部７０は、ステップＳ３０３を行わずに、ステップＳ３０４及びステップＳ３０５を行う。
【００６５】
なお、制御部７０は、ステップＳ３０２を行わずに、ステップＳ３０３を行ってもよい。また、ステップＳ３０４は、ステップＳ３０２よりも前に行われてもよいし、ステップＳ３０２と同時に行われてもよい。また、第２照明部１１０が点灯中である場合（ステップＳ３０２：Ｙｅｓ）、ステップＳ３０４は、ステップＳ３０３よりも前に行われてもよいし、ステップＳ３０３と同時に行われてもよい。また、ステップＳ３０５は、ステップＳ３０２よりも前に行われてもよいし、ステップＳ３０４よりも前に行われてもよいし、ステップＳ３０２またはステップＳ３０４と同時に行われてもよい。また、第２照明部１１０が点灯中である場合（ステップＳ３０２：Ｙｅｓ）、ステップＳ３０５は、ステップＳ３０３よりも前に行われてもよいし、ステップＳ３０３と同時に行われてもよい。また、この例において、ステップＳ３０２及びステップＳ３０３を省略してもよい。
【００６６】
このように、実施形態によれば、停電を検知した際に、第１照明部４０を第１照度よりも低い第２照度で点灯させることで、第１照明部４０の点灯による消費エネルギーをより小さくすることができる。これにより、第１照明部４０をより長時間点灯させることができる。
【００６７】
第１照明部４０の点灯は、例えば、連続点灯でもよいし、間欠点灯でもよい。第１照明部４０を連続点灯させる場合、例えば、第２照度における光源（ＬＥＤ）の発光強度は、第１照度における光源の発光強度よりも小さい。一方、第１照明部４０を間欠点灯させる場合、例えば、第２照度におけるＤＵＴＹ比は、第１照度におけるＤＵＴＹ比よりも小さい。第１照度におけるＤＵＴＹ比は、例えば、５０％程度であり、第２照度におけるＤＵＴＹ比は、例えば、２５％程度である。なお、第１照度におけるパルス周期及び第２照度におけるパルス周期は、例えば、２０ミリ秒（５０Ｈｚ）程度である。
【００６８】
図７は、実施形態に係る洗面化粧台の動作のさらに別の一例を表すフローチャートである。  
図７に表したように、停電検知部９０が停電を検知しない場合は（ステップＳ４０１：Ｎｏ）、停電検知部９０が停電を検知するまでステップＳ４０１を繰り返す。停電検知部９０が停電を検知すると（ステップＳ４０１：Ｙｅｓ）、制御部７０は、例えば、第２照明部１１０が点灯中であるか否かを判定する（ステップＳ４０２）。第２照明部１１０が点灯中である場合（ステップＳ４０２：Ｙｅｓ）、制御部７０は、第２照明部１１０を消灯させる（ステップＳ４０３）。そして、制御部７０は、第１エネルギーで駆動する第１状態から、第１エネルギーよりも低い第２エネルギーで駆動する第２状態に変更される（ステップＳ４０４）。さらに、制御部７０は、第１照明部４０の照度を、第１照度から、第１照度よりも低い第２照度に変更して（ステップＳ４０５）、第１照明部４０を、蓄電部８０に蓄えられたエネルギーによって点灯させる（ステップＳ４０６）。第２照明部１１０が点灯中ではない場合（ステップＳ４０２：Ｎｏ）、制御部７０は、ステップＳ４０３を行わずに、ステップＳ４０４、ステップＳ４０５、及びステップＳ４０６を行う。
【００６９】
なお、制御部７０は、ステップＳ４０２を行わずに、ステップＳ４０３を行ってもよい。また、ステップＳ４０４は、ステップＳ４０２よりも前に行われてもよいし、ステップＳ４０２と同時に行われてもよい。また、第２照明部１１０が点灯中である場合（ステップＳ４０２：Ｙｅｓ）、ステップＳ４０４は、ステップＳ４０３よりも前に行われてもよいし、ステップＳ４０３と同時に行われてもよい。また、ステップＳ４０５は、ステップＳ４０２よりも前に行われてもよいし、ステップＳ４０４よりも前に行われてもよいし、ステップＳ４０２またはステップＳ４０４と同時に行われてもよい。また、第２照明部１１０が点灯中である場合（ステップＳ４０２：Ｙｅｓ）、ステップＳ４０５は、ステップＳ４０３よりも前に行われてもよいし、ステップＳ４０３と同時に行われてもよい。また、ステップＳ４０６は、ステップＳ４０２よりも前に行われてもよいし、ステップＳ４０４よりも前に行われてもよいし、ステップＳ４０５よりも前に行われてもよいし、ステップＳ４０２、ステップＳ４０４、またはステップＳ４０５と同時に行われてもよい。また、第２照明部１１０が点灯中である場合（ステップＳ４０２：Ｙｅｓ）、ステップＳ４０６は、ステップＳ４０３よりも前に行われてもよいし、ステップＳ４０３と同時に行われてもよい。また、この例において、ステップＳ４０２及びステップＳ４０３を省略してもよい。また、この例において、ステップＳ４０５を省略してもよい。
【００７０】
このように、実施形態によれば、停電を検知した際に、制御部７０を第１エネルギーよりも低い第２エネルギーで駆動させることで、制御部７０の駆動による消費エネルギーをより小さくすることができる。これにより、第１照明部４０をより長時間点灯させることができる。
【００７１】
図８は、実施形態に係る洗面化粧台の動作の一例を表すタイミングチャートである。  
図８に表したように、操作スイッチ５５ａ〜５５ｃのいずれかが操作されると、例えば、制御部７０は、第１照明部４０及び第２照明部１１０を点灯させる（タイミングｔ１０１）。操作スイッチ５５ａ〜５５ｃのいずれかが再度操作されると、例えば、制御部７０は、第１照明部４０及び第２照明部１１０を消灯させる（タイミングｔ１０２）。
【００７２】
停電検知部９０が停電を検知すると、制御部７０は、第１照明部４０を、蓄電部８０に蓄えられたエネルギーによって点灯可能な状態にするとともに、自動で点灯させる（タイミングｔ１０３）。なお、この例では、停電検知部９０が停電を検知した時点ですでに第２照明部１１０が消灯されているが、停電検知部９０が停電を検知した際に第２照明部１１０が点灯されている場合、制御部７０は、第２照明部１１０を消灯させてもよい。
【００７３】
また、上述のように、停電検知部９０が停電を検知した際に、制御部７０は、第１エネルギーで駆動する第１状態から、第１エネルギーよりも低い第２エネルギーで駆動する第２状態に変更されてもよい。また、停電検知部９０が停電を検知した際に、制御部７０は、第１照明部４０の照度を、第１照度から、第１照度よりも低い第２照度に変更してもよい。
【００７４】
図９は、実施形態に係る洗面化粧台の動作の別の一例を表すタイミングチャートである。  
図９に表したように、操作スイッチ５５ａ〜５５ｃのいずれかが操作されると、例えば、制御部７０は、第１照明部４０及び第２照明部１１０を点灯させる（タイミングｔ２０１）。操作スイッチ５５ａ〜５５ｃのいずれかが再度操作されると、例えば、制御部７０は、第１照明部４０及び第２照明部１１０を消灯させる（タイミングｔ２０２）。
【００７５】
停電検知部９０が停電を検知すると、制御部７０は、第１照明部４０を、蓄電部８０に蓄えられたエネルギーによって点灯可能な状態にする（タイミングｔ２０３）。そして、操作スイッチ５５ａ〜５５ｃのいずれかが操作されると、制御部７０は、第１照明部４０を、蓄電部８０に蓄えられたエネルギーによって点灯させる（タイミングｔ２０４）。
【００７６】
この例においても、停電検知部９０が停電を検知した際に第２照明部１１０が点灯されている場合、制御部７０は、第２照明部１１０を消灯させてもよい。また、停電検知部９０が停電を検知した際に、制御部７０は、第１エネルギーで駆動する第１状態から、第１エネルギーよりも低い第２エネルギーで駆動する第２状態に変更されてもよい。また、停電検知部９０が停電を検知した際に、制御部７０は、第１照明部４０の照度を、第１照度から、第１照度よりも低い第２照度に変更してもよい。
【００７７】
以上、本発明の実施形態について説明した。しかし、本発明はこれらの記述に限定されるものではない。前述の実施形態に関して、当業者が適宜設計変更を加えたものも、本発明の特徴を備えている限り、本発明の範囲に包含される。例えば、洗面化粧台１００などが備える各要素の形状、寸法、材質、配置などは、例示したものに限定されるわけではなく適宜変更することができる。  
また、前述した各実施形態が備える各要素は、技術的に可能な限りにおいて組み合わせることができ、これらを組み合わせたものも本発明の特徴を含む限り本発明の範囲に包含される。
【符号の説明】
【００７８】
１０ 水栓装置、  ２０ 吐水部、  ２２ 吐水口、  ２５ 機能水吐出部、  ３０ 本体部、  ４０ 第１照明部、  ４２ ボウル照明部、  ４４ 機能水照明部、  ５０ 操作部、  ５０ａ 操作レバー、  ５５ａ〜５５ｃ 操作スイッチ、  ６０ センサ、  ７０ 制御部、  ７５ 照明駆動回路部、  ８０ 蓄電部、  ８０ａ、８０ｂ 第１、第２蓄電部、  ８２ａ、８２ｂ 第１、第２電源部、  ８５ 電源、  ９０ 停電検知部、  １００ 洗面化粧台、  １０２ 洗面器、  １０６ 支持台、  １０６ａ 本体部、  １０６ｂ、１０６ｃ 引き出し、  １０８ ミラーキャビネット、  １１０ 第２照明部、  １２２ ボウル部、  １２４ バックガード部、  １３０ キャビネット本体、  １３１〜１３３ 扉、  １３１ａ〜１３３ａ 鏡、  Ｓ１０１、Ｓ１０２、Ｓ２０１〜Ｓ２０４、Ｓ３０１〜Ｓ３０５、Ｓ４０１〜Ｓ４０６ ステップ、  ｔ１０１〜ｔ１０３、ｔ２０１〜ｔ２０４ タイミング、  ＷＳ 壁面
【図１】
2020010811.tif 000003
【図２】
2020010811.tif 000004
【図３】
2020010811.tif 000005
【図４】
2020010811.tif 000006
【図５】
2020010811.tif 000007
【図６】
2020010811.tif 000008
【図７】
2020010811.tif 000009
【図８】
2020010811.tif 000010
【図９】
2020010811.tif 000011